(57)【要約】【課題】視聴者が番組の情報を容易に認識できる情報管理装置、情報管理方法、およびプログラムを提供すること。【解決手段】情報管理装置１は、番組のサムネイル画像を配信管理サーバから受信するサムネイル画像受信部１３と、ツイッターでつぶやかれている番組の情報を配信管理サーバから受信する意見受信部１４と、番組のキーワードを配信管理サーバから受信するキーワード抽出部１７と、これら受信されたものをタッチパネルに表示させる表示制御部１８と、を備える。【選択図】図１
2012209824.tif 000002
【特許請求の範囲】
【請求項１】
番組ガイド情報を受信する番組ガイド情報受信手段と、
前記番組ガイド情報に情報が記述されている番組の静止画を受信するサムネイル画像受信手段と、
前記番組ガイド情報受信手段により受信された番組ガイド情報に基づいて、前記サムネイル画像受信手段により受信された複数の静止画を表示手段に表示させる表示制御手段と、を備えることを特徴とする情報管理装置。
【請求項２】
視聴者が操作可能に設けられた第１の入力受付手段と、
前記第１の入力受付手段に対する視聴者の操作に応じて、前記表示手段に表示されている複数の静止画のうちの１つを選択するサムネイル画像選択手段と、を備え、
前記表示制御手段は、前記サムネイル画像選択手段により選択された静止画に対応する番組の情報を、前記番組ガイド情報受信手段により受信された番組ガイド情報から読み出し、前記表示手段に表示させることを特徴とする請求項１に記載の情報管理装置。
【請求項３】
視聴者が操作可能に設けられた第２の入力受付手段を備え、
前記表示制御手段は、前記第１の入力受付手段に対する視聴者の操作を受付けた場合には、前記表示手段に表示されている複数の静止画を、予め定められた移動量だけ移動させ、前記第２の入力受付手段に対する視聴者の操作を受付けた場合には、当該複数の静止画を、当該予め定められた移動量より多く移動させることを特徴とする請求項２に記載の情報管理装置。
【請求項４】
前記番組ガイド情報に情報が記述されている各番組について、他の視聴者の意見を受信する意見受信手段を備え、
前記表示制御手段は、前記意見受信手段により受信された他の視聴者の意見を前記表示手段に表示させることを特徴とする請求項１から３のいずれかに記載の情報管理装置。
【請求項５】
前記番組ガイド情報に情報が記述されている各番組のキーワードを求めるキーワード抽出手段を備え、
前記表示制御手段は、前記キーワード抽出手段により求められたキーワードを前記表示手段に表示させることを特徴とする請求項１から４のいずれかに記載の情報管理装置。
【請求項６】
前記表示制御手段により前記表示手段に表示させている複数の静止画のうちの１つを、視聴者が視聴操作可能に設けられた第３の入力受付手段と、
前記第３の入力受付手段に対する視聴者の視聴操作を受付けた場合に、前記複数の静止画のうち当該視聴操作が行われたものが前記表示手段に表示されている番組を、当該表示手段に表示させる番組表示制御手段と、を備えることを特徴とする請求項１から５のいずれかに記載の情報管理装置。
【請求項７】
前記表示制御手段により前記表示手段に表示させている複数の静止画のうちの１つを、視聴者が録画操作可能に設けられた第４の入力受付手段と、
前記第４の入力受付手段に対する視聴者の録画操作を受付けた場合に、前記複数の静止画のうち当該録画操作が行われたものが前記表示手段に表示されている番組を、記憶手段に記憶させる番組記憶制御手段と、を備えることを特徴とする請求項１から６のいずれかに記載の情報管理装置。
【請求項８】
番組ガイド情報を受信する第１のステップと、
前記番組ガイド情報に情報が記述されている番組の静止画を受信する第２のステップと、
前記第１のステップにおいて受信した番組ガイド情報に基づいて、前記第２のステップにおいて受信した複数の静止画を表示手段に表示させる第３のステップと、を備えることを特徴とする情報管理方法。
【請求項９】
番組ガイド情報を受信する第１のステップと、
前記番組ガイド情報に情報が記述されている番組の静止画を受信する第２のステップと、
前記第１のステップにおいて受信した番組ガイド情報に基づいて、前記第２のステップにおいて受信した複数の静止画を表示手段に表示させる第３のステップと、をコンピュータに実行させるためのプログラム。
【発明の詳細な説明】
【技術分野】
【０００１】
本発明は、情報管理装置、情報管理方法、およびプログラムに関する。
【背景技術】
【０００２】
従来より、地上デジタル放送や、ＢＳ（Ｂｒｏａｄｃａｓｔ  Ｓａｔｅｌｌｉｔｅ）放送や、ＣＳ（Ｃｏｍｍｕｎｉｃａｔｉｏｎ  Ｓａｔｅｌｌｉｔｅ）放送などにおいて、電子番組ガイド（ＥＰＧ：Ｅｌｅｃｔｒｏｎｉｃ  Ｐｒｏｇｒａｍ  Ｇｕｉｄｅ）の情報が提供されている（例えば、特許文献１参照）。
【０００３】
視聴者は、ＥＰＧの情報を受信装置で受信して、ＥＰＧを表示画面に表示させることで、各チャンネルで放送される番組の情報を取得して、視聴したい番組を探し出すことができる。
【先行技術文献】
【特許文献】
【０００４】
【特許文献１】特許第４４３８３５４号公報
【発明の概要】
【発明が解決しようとする課題】
【０００５】
従来のＥＰＧでは、番組の情報がテキストデータで構成されているため、表示画面には、番組の情報が文字で表示される。このため、番組の情報を瞬時に認識するのが視聴者にとって困難となる場合があった。そして、今後、地上デジタル放送やＣＳ放送といった利用可能な放送種別やチャンネルが増加することが予想されるが、この場合には、より一層、番組の情報を瞬時に把握するのが視聴者にとって困難となるおそれがあった。
【０００６】
そこで、本発明は、上述の課題に鑑みてなされたものであり、視聴者が番組の情報を容易に認識できる情報管理装置、情報管理方法、およびプログラムを提供することを目的とする。
【課題を解決するための手段】
【０００７】
本発明は、上記の課題を解決するために、以下の事項を提案している。
【０００８】
（１）  本発明は、番組ガイド情報（例えば、後述のＥＰＧの情報に相当）を受信する番組ガイド情報受信手段（例えば、図１のＥＰＧ受信部１２に相当）と、前記番組ガイド情報に情報が記述されている番組の静止画（例えば、後述のサムネイル画像に相当）を受信するサムネイル画像受信手段（例えば、図１のサムネイル画像受信部１３に相当）と、前記番組ガイド情報受信手段により受信された番組ガイド情報に基づいて、前記サムネイル画像受信手段により受信された複数の静止画を表示手段（例えば、後述のタッチパネルに相当）に表示させる表示制御手段（例えば、図１の表示制御部１８に相当）と、を備えることを特徴とする情報管理装置を提案している。
【０００９】
この発明によれば、番組ガイド情報受信手段、サムネイル画像受信手段、および表示制御手段を情報管理装置に設けた。そして、番組ガイド情報受信手段により、番組ガイド情報を受信し、サムネイル画像受信手段により、番組ガイド情報に情報が記述されている番組の静止画を受信することとした。また、表示制御手段により、番組ガイド情報受信手段により受信された番組ガイド情報に基づいて、サムネイル画像受信手段により受信された複数の静止画を表示手段に表示させることとした。
【００１０】
このため、番組ガイド情報に情報が記述されている各番組について、静止画を表示することができる。このため、番組の情報が文字で表示される場合と比べて、番組の情報を瞬時に認識するのが視聴者にとって容易となる。したがって、視聴者が番組の情報を容易に認識できるようにすることができる。
【００１１】
（２）  本発明は、（１）の情報管理装置について、視聴者が操作可能に設けられた第１の入力受付手段（例えば、図３の表示領域ＸＸに相当）と、前記第１の入力受付手段に対する視聴者の操作に応じて、前記表示手段に表示されている複数の静止画のうちの１つ（例えば、図３の表示領域ＹＹに表示されているサムネイル画像に相当）を選択するサムネイル画像選択手段（例えば、図１の表示制御部１８に相当）と、を備え、前記表示制御手段は、前記サムネイル画像選択手段により選択された静止画に対応する番組の情報（例えば、図４の情報Ｍに相当）を、前記番組ガイド情報受信手段により受信された番組ガイド情報から読み出し、前記表示手段に表示させることを特徴とする情報管理装置を提案している。
【００１２】
この発明によれば、（１）の情報管理装置に、第１の入力受付手段およびサムネイル画像選択手段を設けた。そして、第１の入力受付手段を、視聴者が操作可能に設けた。また、サムネイル画像選択手段により、第１の入力受付手段に対する視聴者の操作に応じて、表示手段に表示されている複数の静止画のうちの１つを選択することとした。また、表示制御手段により、サムネイル画像選択手段により選択された静止画に対応する番組の情報を、番組ガイド情報受信手段により受信された番組ガイド情報から読み出し、表示手段に表示させることとした。
【００１３】
このため、複数の静止画の中から１つを選択して、選択した静止画の番組の情報を番組ガイド情報から読み出して表示することができる。このため、番組の静止画を表示して、視聴者が番組の情報を容易に認識できることを確保しつつ、より詳しい番組の情報を番組ガイド情報から読み出して表示して、さらに詳しい番組の情報を視聴者が認識できるようにすることができる。
【００１４】
（３）  本発明は、（２）の情報管理装置について、視聴者が操作可能に設けられた第２の入力受付手段（例えば、図３のスクロールバーＡが表示されている領域に相当）を備え、前記表示制御手段は、前記第１の入力受付手段に対する視聴者の操作を受付けた場合には、前記表示手段に表示されている複数の静止画を、予め定められた移動量だけ移動させ、前記第２の入力受付手段に対する視聴者の操作を受付けた場合には、当該複数の静止画を、当該予め定められた移動量より多く移動させることを特徴とする情報管理装置を提案している。
【００１５】
この発明によれば、（２）の情報管理装置に、視聴者が操作可能に設けられた第２の入力受付手段を設けた。そして、表示制御手段により、第１の入力受付手段に対する視聴者の操作を受付けた場合には、表示手段に表示されている複数の静止画を、予め定められた移動量だけ移動させ、第２の入力受付手段に対する視聴者の操作を受付けた場合には、複数の静止画を、上述の予め定められた移動量より多く移動させることとした。
【００１６】
このため、視聴者は、第２の入力受付手段に対して操作を行うことで、第１の入力受付手段に対して操作を行う場合と比べて、各番組の静止画を多く移動させることができる。したがって、番組数が多い場合に、短い時間で多くの静止画を視聴者が視認できるようにすることができる。
【００１７】
（４）  本発明は、（１）〜（３）のいずれかの情報管理装置について、前記番組ガイド情報に情報が記述されている各番組について、他の視聴者の意見（例えば、図７の情報Ｑ１〜Ｑ４に相当）を受信する意見受信手段（例えば、図１の意見受信部１４に相当）を備え、前記表示制御手段は、前記意見受信手段により受信された他の視聴者の意見を前記表示手段に表示させることを特徴とする情報管理装置を提案している。
【００１８】
この発明によれば、（１）〜（３）のいずれかの情報管理装置に、番組ガイド情報に情報が記述されている各番組について他の視聴者の意見を受信する意見受信手段を設けた。そして、表示制御手段により、意見受信手段により受信された他の視聴者の意見を表示手段に表示させることとした。
【００１９】
このため、視聴者は、番組に対する他の視聴者の意見を参照することができる。したがって、視聴者が番組の情報をより一層容易に認識できるようにすることができる。
【００２０】
（５）  本発明は、（１）〜（４）のいずれかの情報管理装置について、前記番組ガイド情報に情報が記述されている各番組のキーワード（例えば、図１０の情報Ｒ１〜Ｒ４に相当）を求めるキーワード抽出手段（例えば、図１のキーワード抽出部１７に相当）を備え、前記表示制御手段は、前記キーワード抽出手段により求められたキーワードを前記表示手段に表示させることを特徴とする情報管理装置を提案している。
【００２１】
この発明によれば、（１）〜（４）のいずれかの情報管理装置にキーワード抽出手段を設け、このキーワード抽出手段により番組ガイド情報に情報が記述されている各番組のキーワードを求めることとした。また、表示制御手段により、キーワード抽出手段により求められたキーワードを表示手段に表示させることとした。
【００２２】
このため、キーワードを参照することで、視聴者が番組の情報をより容易に認識できるようにすることができるとともに、関連する番組を視聴者が探し出しやすくなるようにすることもできる。
【００２３】
（６）  本発明は、（１）〜（５）のいずれかの情報管理装置について、前記表示制御手段により前記表示手段に表示させている複数の静止画のうちの１つ（例えば、図３の表示領域ＹＹに表示されているサムネイル画像に相当）を、視聴者が視聴操作可能に設けられた第３の入力受付手段（例えば、図３の再生ボタンＣ２が表示されている領域に相当）と、前記第３の入力受付手段に対する視聴者の視聴操作を受付けた場合に、前記複数の静止画のうち当該視聴操作が行われたものが前記表示手段に表示されている番組を、当該表示手段に表示させる番組表示制御手段（例えば、図１の表示制御部１８に相当）と、を備えることを特徴とする情報管理装置を提案している。
【００２４】
この発明によれば、（１）〜（５）のいずれかの情報管理装置に、第３の入力受付手段および番組表示制御手段を設けた。そして、第３の入力受付手段を、表示制御手段により表示手段に表示させている複数の静止画のうちの１つを、視聴者が視聴操作可能に設けた。また、番組表示制御手段により、第３の入力受付手段に対する視聴者の視聴操作を受付けた場合に、複数の静止画のうち視聴操作が行われたものが表示手段に表示されている番組を、表示手段に表示させることとした。このため、視聴者は、第３の入力受付手段に対して視聴操作を行うことで、サムネイル画像の表示されている番組を視聴することができる。したがって、視聴者の利便性を向上させることができる。
【００２５】
（７）  本発明は、（１）〜（６）のいずれかの情報管理装置について、前記表示制御手段により前記表示手段に表示させている複数の静止画のうちの１つ（例えば、図３の表示領域ＹＹに表示されているサムネイル画像に相当）を、視聴者が録画操作可能に設けられた第４の入力受付手段（例えば、図３の録画ボタンＣ４が表示されている領域に相当）と、前記第４の入力受付手段に対する視聴者の録画操作を受付けた場合に、前記複数の静止画のうち当該録画操作が行われたものが前記表示手段に表示されている番組を、記憶手段に記憶させる番組記憶制御手段（例えば、後述の録画制御部に相当）と、を備えることを特徴とする情報管理装置を提案している。
【００２６】
この発明によれば、（１）〜（６）のいずれかの情報管理装置に、第４の入力受付手段および番組記憶制御手段を設けた。そして、第４の入力受付手段を、表示制御手段により表示手段に表示させている複数の静止画のうちの１つを、視聴者が視聴操作可能に設けた。また、番組記憶制御手段により、第４の入力受付手段に対する視聴者の視聴操作を受付けた場合に、複数の静止画のうち録画操作が行われたものが表示手段に表示されている番組を、記憶手段に記憶させることとした。このため、視聴者は、第４の入力受付手段に対して録画操作を行うことで、サムネイル画像の表示されている番組を録画することができる。したがって、視聴者の利便性を向上させることができる。
【００２７】
（８）  本発明は、番組ガイド情報（例えば、後述のＥＰＧの情報に相当）を受信する第１のステップ（例えば、図１のＥＰＧ受信部１２による処理に相当）と、前記番組ガイド情報に情報が記述されている番組の静止画（例えば、後述のサムネイル画像に相当）を受信する第２のステップ（例えば、図１のサムネイル画像受信部１３による処理に相当）と、前記第１のステップにおいて受信した番組ガイド情報に基づいて、前記第２のステップにおいて受信した複数の静止画を表示手段（例えば、後述のタッチパネルに相当）に表示させる第３のステップ（例えば、図１の表示制御部１８による処理に相当）と、を備えることを特徴とする情報管理方法を提案している。
【００２８】
この発明によれば、番組ガイド情報を受信するとともに、この番組ガイド情報に情報が記述されている番組の静止画を受信することとした。そして、受信した番組ガイド情報に基づいて、受信した複数の静止画を表示手段に表示させることとした。このため、上述した効果と同様の効果を奏することができる。
【００２９】
（９）  本発明は、番組ガイド情報（例えば、後述のＥＰＧの情報に相当）を受信する第１のステップ（例えば、図１のＥＰＧ受信部１２による処理に相当）と、前記番組ガイド情報に情報が記述されている番組の静止画（例えば、後述のサムネイル画像に相当）を受信する第２のステップ（例えば、図１のサムネイル画像受信部１３による処理に相当）と、前記第１のステップにおいて受信した番組ガイド情報に基づいて、前記第２のステップにおいて受信した複数の静止画を表示手段（例えば、後述のタッチパネルに相当）に表示させる第３のステップ（例えば、図１の表示制御部１８による処理に相当）と、をコンピュータに実行させるためのプログラムを提案している。
【００３０】
この発明によれば、コンピュータにプログラムを実行させることで、番組ガイド情報を受信するとともに、この番組ガイド情報に情報が記述されている番組の静止画を受信することとした。そして、受信した番組ガイド情報に基づいて、受信した複数の静止画を表示手段に表示させることとした。このため、上述した効果と同様の効果を奏することができる。
【発明の効果】
【００３１】
本発明によれば、視聴者が番組の情報を容易に認識できるようにすることができる。
【図面の簡単な説明】
【００３２】
【図１】本発明の一実施形態に係る情報管理装置の構成を示すブロック図である。
【図２】前記情報管理装置が備えるタッチパネルの画面遷移イメージを示す図である。
【図３】前記タッチパネルに表示される基本画面を示す図である。
【図４】前記タッチパネルに表示される第１の詳細画面を示す図である。
【図５】前記タッチパネルに表示される第２の画面を示す図である。
【図６】前記タッチパネルに表示される第２の詳細画面を示す図である。
【図７】前記タッチパネルに表示される第３の画面を示す図である。
【図８】前記タッチパネルに表示される第３の詳細画面を示す図である。
【図９】前記タッチパネルに表示される第４の詳細画面を示す図である。
【図１０】前記タッチパネルに表示される第４の画面を示す図である。
【図１１】前記タッチパネルに表示される第５の詳細画面を示す図である。
【図１２】前記タッチパネルに表示される第６の詳細画面を示す図である。
【発明を実施するための形態】
【００３３】
以下、本発明の実施形態について図面を参照しながら説明する。なお、以下の実施形態における構成要素は適宜、既存の構成要素などとの置き換えが可能であり、また、他の既存の構成要素との組み合せを含む様々なバリエーションが可能である。したがって、以下の実施形態の記載をもって、特許請求の範囲に記載された発明の内容を限定するものではない。
【００３４】
［情報管理装置１の構成］
図１は、本発明の一実施形態に係る情報管理装置１の構成を示すブロック図である。情報管理装置１は、タッチパネルを有するタブレット端末であり、番組受信部１１、ＥＰＧ受信部１２、サムネイル画像受信部１３、意見受信部１４、入力受付部１５、サムネイル画像選択部１６、キーワード抽出部１７、表示制御部１８、および記憶部１９を備える。
【００３５】
番組受信部１１は、放送信号を受信する。
【００３６】
ＥＰＧ受信部１２は、情報管理装置１と通信可能に設けられた配信管理サーバから、ＥＰＧの情報を受信する。
【００３７】
上述の配信管理サーバは、ＥＰＧに情報の記述されている各番組について、サムネイル画像を１枚ずつ保持している。サムネイル画像は、例えば、番組を放送する放送局において生成される。サムネイル画像受信部１３は、配信管理サーバから、ＥＰＧに情報の記述されている各番組のサムネイル画像を受信する。
【００３８】
また、上述の配信管理サーバは、ツイッターでつぶやかれている各番組の情報を収集して保持している。意見受信部１４は、配信管理サーバから、ＥＰＧに情報の記述されている各番組について、ツイッターでつぶやかれている情報を受信する。
【００３９】
入力受付部１５は、視聴者によるタッチパネルの操作を受付ける。
【００４０】
ＥＰＧには、各番組の情報がテキストデータとして記述されており、上述の配信管理サーバは、ＥＰＧに情報の記述されている各番組について、ＥＰＧのテキストデータからキーワードを３つずつ抽出する。キーワード抽出部１７は、配信管理サーバから、ＥＰＧに情報の記述されている各番組のキーワードを受信する。
【００４１】
表示制御部１８は、ＥＰＧ受信部１２で受信されたＥＰＧの情報や、サムネイル画像受信部１３で受信されたサムネイル画像や、意見受信部１４で受信された情報や、キーワード抽出部１７で受信されたキーワードを、タッチパネルに表示させる。
【００４２】
サムネイル画像選択部１６は、入力受付部１５で受付けた視聴者の操作に応じて、タッチパネルに表示されているサムネイル画像を１つ選択する。
【００４３】
記憶部１９は、ＥＰＧ受信部１２で受信されたＥＰＧの情報や、サムネイル画像受信部１３で受信されたサムネイル画像や、意見受信部１４で受信されたコメントや、キーワード抽出部１７で受信されたキーワードを、記憶する。また、記憶部１９は、これまでに視聴者がタッチパネルで視聴した番組の履歴を記憶する。
【００４４】
［情報管理装置１の動作］
以上の構成を備える情報管理装置１は、番組受信部１１で受信された放送信号に基づいて、番組をタッチパネルに表示することができる。そして、番組表を表示させる番組表表示操作が視聴者により行われると、図２に示した画面遷移イメージのように、図３に示す画面をタッチパネルに表示させる。さらに、後述の画面切り替え操作が視聴者により行われると、タッチパネルに表示させる画面を、図３、５、７、１０に示す画面のいずれかに遷移させる。また、図３、５、７、１０のそれぞれに示す画面において、後述の第１の選択操作が視聴者により行われると、タッチパネルに表示させる画面を、図４、６、８、１１のそれぞれに示す画面に遷移させる。また、図７、１０のそれぞれに示す画面において、後述の第２の選択操作が視聴者により行われると、タッチパネルに表示させる画面を、図９、１２のそれぞれに示す画面に遷移させる。さらに、図８、１１のそれぞれに示す画面において、第１の選択操作が視聴者により行われると、タッチパネルに表示させる画面を、図９、１２のそれぞれに示す画面に遷移させ、図９、１２のそれぞれに示す画面において、第２の選択操作が視聴者により行われると、タッチパネルに表示させる画面を、図８、１１のそれぞれに示す画面に遷移させる。
【００４５】
図３は、基本画面を示す図である。ここで、サムネイル画像受信部１３がサムネイル画像Ｐ１〜Ｐｎ（ｎは、ｎ≧４を満たす整数）を受信し、これらサムネイル画像Ｐ１〜Ｐｎのうち、現時刻において視聴可能である番組のサムネイル画像はサムネイル画像Ｐ１〜Ｐｍ（ｍは、４≦ｍ≦ｎを満たす整数）であるものとする。また、情報管理装置１は、地上デジタル放送と、ケーブルテレビ（ＣＡＴＶ：Ｃｏｍｍｕｎｉｔｙ  Ａｎｔｅｎｎａ  Ｔｅｌｅｖｉｓｉｏｎ）放送と、ＶＯＤ（Ｖｉｄｅｏ  Ｏｎ  Ｄｅｍａｎｄ）放送と、の３種類の放送信号に対応しているものとする。そして、サムネイル画像Ｐ１〜Ｐｍのうちｍの値が小さいものから順に、地上デジタル放送における番組のサムネイル画像、ケーブルテレビ放送における番組のサムネイル画像、ＶＯＤ放送における番組のサムネイル画像が並んでいるものとする。
【００４６】
表示領域ＸＸには、表示制御部１８により、現時刻において視聴可能である番組のサムネイル画像Ｐ１〜Ｐｍのうち、サムネイル画像Ｐ１〜Ｐ４が図３中縦方向に一列に並んで表示されている。表示領域ＸＸにおいて視聴者が図３中縦方向にフリック操作を行うと、入力受付部１５は、このフリック操作を受付ける。そして、入力受付部１５が受付けたフリック操作の向きが図３中上方向であった場合には、表示制御部１８は、サムネイル画像Ｐ１〜Ｐｍを図３中上方向に移動させて、サムネイル画像Ｐ１〜Ｐｍのうちｍの値が大きいものを表示領域ＸＸに表示させる。一方、入力受付部１５が受付けたフリック操作の向きが図３中下方向であった場合には、表示制御部１８は、サムネイル画像Ｐ１〜Ｐｍを図３中下方向に移動させて、サムネイル画像Ｐ１〜Ｐｍのうちｍの値が小さいものを表示領域ＸＸに表示させる。
【００４７】
なお、フリック操作は、視聴者の指やタッチペンを、タッチパネルに接触させた状態で移動させることにより行われる。そして、表示領域ＸＸにおけるフリック操作により視聴者の指やタッチペンの移動した速度や移動量は、入力受付部１５で認識され、認識された速度および移動量に応じて、サムネイル画像Ｐ１〜Ｐｍを移動させる速度および移動量が表示制御部１８で決定される。
【００４８】
表示領域ＸＸの図３中左側には、表示制御部１８により、スクロールバーＡおよび音量切り替えバーＢが表示されている。
【００４９】
スクロールバーＡが表示されている領域において視聴者が図３中縦方向にスライド操作を行うと、入力受付部１５は、このスライド操作を受付ける。そして、入力受付部１５が受付けたスライド操作の向きが図３中上方向であった場合には、表示制御部１８は、サムネイル画像Ｐ１〜Ｐｍを図３中上方向に移動させて、サムネイル画像Ｐ１〜Ｐｍのうちｍの値が大きいものを表示領域ＸＸに表示させる。一方、入力受付部１５が受付けたスライド操作の向きが図３中下方向であった場合には、表示制御部１８は、サムネイル画像Ｐ１〜Ｐｍを図３中下方向に移動させて、サムネイル画像Ｐ１〜Ｐｍのうちｍの値が小さいものを表示領域ＸＸに表示させる。
【００５０】
なお、スライド操作は、上述のフリック操作と同様に、視聴者の指やタッチペンを、タッチパネルに接触させた状態で移動させることにより行われる。そして、スクロールバーＡが表示されている領域におけるスライド操作により視聴者の指やタッチペンの移動した速度や移動量は、入力受付部１５で認識され、認識された速度および移動量に応じて、サムネイル画像Ｐ１〜Ｐｍを移動させる速度および移動量が表示制御部１８で決定される。
【００５１】
ただし、表示制御部１８は、サムネイル画像Ｐ１〜Ｐｍを移動させる移動量を、視聴者の指やタッチペンの移動した速度や移動量が等しい場合、スクロールバーＡが表示されている領域におけるスライド操作の方が、表示領域ＸＸにおけるフリック操作と比べて多く決定する。これによれば、視聴者は、スクロールバーＡが表示されている領域でスライド操作を行う方が、表示領域ＸＸでフリック操作を行う場合と比べて、表示領域ＸＸに表示されるサムネイル画像を大きく移動させることができる。
【００５２】
また、音量切り替えバーＢが表示されている領域において視聴者が図３中縦方向にスライド操作を行うと、入力受付部１５は、このスライド操作を受付ける。そして、入力受付部１５が受付けたスライド操作の向きが図３中上方向であった場合には、図示しない音量制御部は、情報管理装置１に設けられているスピーカーから出力される音量を大きくする。一方、入力受付部１５が受付けたスライド操作の向きが図３中下方向であった場合には、図示しない音量制御部は、情報管理装置１に設けられているスピーカーから出力される音量を小さくする。
【００５３】
表示領域ＸＸの図３中下方には、表示制御部１８により、電源ボタンＣ１、再生ボタンＣ２、嗜好ボタンＣ３、録画ボタンＣ４、切り替えボタンＣ５、および設定ボタンＣ６が表示されている。
【００５４】
電源ボタンＣ１を視聴者がクリック操作すると、入力受付部１５は、このクリック操作を受付け、図示しない制御部は、情報管理装置１の電源を切る。
【００５５】
再生ボタンＣ２を視聴者がクリック操作すると、入力受付部１５は、このクリック操作を受付け、視聴操作が行われたものと認識し、表示制御部１８は、表示領域ＹＹにサムネイル画像の表示されている番組をタッチパネルに表示させる。これによれば、視聴者は、表示領域ＹＹにサムネイル画像の表示されている番組の視聴を開始することができる。
【００５６】
ここで、上述のように、記憶部１９は、これまでに視聴者がタッチパネルで視聴した番組の履歴を記憶している。このため、この履歴を参照することで、視聴者の嗜好に合った番組を推定することができる。そこで、嗜好ボタンＣ３を視聴者がクリック操作すると、入力受付部１５は、このクリック操作を受付け、図示しない制御部は、記憶部１９に記憶されている上述の履歴に基づいて視聴者の嗜好に合った番組を推定し、表示制御部１８は、上述の制御部で推定された番組のサムネイル画像を表示領域ＸＸに表示させる。
【００５７】
録画ボタンＣ４を視聴者がクリック操作すると、入力受付部１５は、このクリック操作を受付け、録画操作が行われたものと認識し、図示しない録画制御部は、表示領域ＹＹにサムネイル画像の表示されている番組の記憶部１９への記憶を開始させる。記憶が開始されると、表示制御部１８は、録画ボタンＣ４を停止ボタンに置き換える。この停止ボタンを視聴者がクリック操作すると、入力受付部１５は、このクリック操作を受付け、上述の録画制御部は、記憶部１９への番組の記憶を停止させる。
【００５８】
切り替えボタンＣ５を視聴者がクリック操作すると、入力受付部１５は、このクリック操作を受付け、上述の画面切り替え操作が行われたものと認識する。そして、表示制御部１８は、図３に示す基本画面と、図５に示す第２の画面と、図７に示す第３の画面と、図１０に示す第４の画面と、のうちいずれかを選択させる画像をタッチパネルに表示させる。そして、上述の４つの画面のいずれかを選択する操作を視聴者が行うと、入力受付部１５は、この操作を受付け、表示制御部１８は、タッチパネルに表示させる画面を、受付けた操作に応じた画面に遷移させる。
【００５９】
設定ボタンＣ６を視聴者がクリック操作すると、入力受付部１５は、このクリック操作を受付け、図示しない制御部は、各種設定を行う画面をタッチパネルに表示させる。
【００６０】
表示領域ＹＹには、表示制御部１８により、サムネイル画像Ｐ２が表示されている。表示制御部１８は、表示領域ＸＸのうち表示領域ＹＹに表示するサムネイル画像を、表示領域ＸＸのうち表示領域ＹＹ以外の領域に表示するサムネイル画像と比べて、拡大する。また、表示制御部１８は、表示領域ＹＹに表示されているサムネイル画像について、選択されているものと認識する。そして、例えば０．５秒間に亘って同一のサムネイル画像が選択されていると認識すると、視聴者が上述の第１の選択操作を行っているものと認識して、タッチパネルに表示させる画面を、図４に示す画面に遷移させる。
【００６１】
図４は、第１の詳細画面を示す図である。第１の詳細画面では、図３の基本画面と比べて、情報Ｍが新たに表示されている。この情報Ｍは、基本画面において同一のサムネイル画像が０．５秒間に亘って選択されると、表示制御部１８によりホップアップ表示される。この情報Ｍは、番組詳細およびお勧め番組を含んでいる。
【００６２】
番組詳細は、図示しない制御部により、ＥＰＧ受信部１２で受信されたＥＰＧの情報から生成される。この番組詳細は、表示領域ＹＹにサムネイル画像の表示されている番組の詳細な情報を示しており、番組名や、公式ホームページのアドレスなどを含んでいる。このアドレスを視聴者がクリック操作すると、表示制御部１８は、Ｗｅｂブラウザを起動させて、アドレスに応じた画面をタッチパネルに表示させる。
【００６３】
お勧め番組は、視聴者にお勧めする番組を含んでいる。このお勧めする番組は、例えば、表示領域ＹＹにサムネイル画像の表示されている番組に関連する番組のことであり、図示しない制御部により求められる。
【００６４】
図５は、第２の画面を示す図である。第２の画面では、図３の基本画面と比べて、表示領域ＺＺが新たに設定されている。この表示領域ＺＺには、表示領域ＹＹにサムネイル画像の表示されている番組を放送中であるチャンネルにおいて、すでに放送された番組のサムネイル画像と、これらから放送される番組のサムネイル画像と、が表示されている。具体的には、表示領域ＹＹにサムネイル画像の表示されている番組を放送中であるチャンネルをチャンネル１とする。すると、表示領域ＹＹの図３中左側には、チャンネル１においてすでに放送された番組のサムネイル画像が図３中横方向に一列に並んで表示されている。また、表示領域ＹＹの図３中右側には、チャンネル１においてこれから放送される番組のサムネイル画像が図３中横方向に一列に並んで表示されている。
【００６５】
表示領域ＺＺに表示されているサムネイル画像は、表示領域ＸＸに表示されているサムネイル画像と同様に、表示制御部１８により、視聴者のフリック操作に応じて移動される。
【００６６】
この図５に示す第２の画面においても、図３の基本画面と同様に、表示制御部１８は、表示領域ＹＹに表示されているサムネイル画像について、視聴者が上述の第１の選択操作を行っているものと認識する。そして、例えば０．５秒間に亘って同一のサムネイル画像が選択されていると認識すると、タッチパネルに表示させる画面を、図６に示す画面に遷移させる。
【００６７】
図６は、第２の詳細画面を示す図である。第２の詳細画面では、図５の第２の画面と比べて、情報Ｍが新たに表示されている。すなわち、第２の画面において同一のサムネイル画像が０．５秒間に亘って選択されると、表示制御部１８により、情報Ｍがホップアップ表示される。この情報Ｍは、図４において説明したものと同様の情報である。
【００６８】
図７は、第３の画面を示す図である。第３の画面では、図３の基本画面と比べて、情報Ｑ１〜Ｑ４が新たに表示されている。情報Ｑ１〜Ｑ４のそれぞれは、意見受信部１４で受信されたサムネイル画像Ｐ１〜Ｐ４のそれぞれの番組の情報のことであり、これら番組のそれぞれについてツイッターでつぶやかれている情報のことである。
【００６９】
情報Ｑ１〜Ｑ４のそれぞれは、円グラフと棒グラフとを含んで構成される。円グラフは、対応するサムネイル画像の番組について、ツイッターでつぶやいている人の年代ごとの割合を示す。一方、棒グラフは、対応するサムネイル画像の番組について、ツイッターで好意的なコメントをつぶやいた人の数と、ツイッターで非好意的なコメントをつぶやいた人の数と、の割合を示す。
【００７０】
この図７に示す第３の画面においても、図３の基本画面と同様に、表示制御部１８は、表示領域ＹＹに表示されているサムネイル画像について、視聴者が上述の第１の選択操作を行っているものと認識する。そして、例えば０．５秒間に亘って同一のサムネイル画像が選択されていると認識すると、タッチパネルに表示させる画面を、図８に示す画面に遷移させる。
【００７１】
図８は、第３の詳細画面を示す図である。第３の詳細画面では、図７の第３の画面と比べて、情報Ｍが新たに表示されている。すなわち、第３の画面において同一のサムネイル画像が０．５秒間に亘って選択されると、表示制御部１８により、情報Ｍがホップアップ表示される。この情報Ｍは、図４において説明したものと同様の情報である。
【００７２】
図７に戻って、情報Ｑ１〜Ｑ４のいずれかを視聴者がクリック操作すると、入力受付部１５は、このクリック操作を受付け、上述の第２の選択操作が行われたものと認識する。そして、表示制御部１８は、タッチパネルに表示させる画面を、図９に示す画面に遷移させる。
【００７３】
図９は、第４の詳細画面を示す図である。第４の詳細画面では、図７の第３の画面と比べて、情報Ｎが新たに表示されている。すなわち、情報Ｑ１〜Ｑ４のいずれかに対して第２の選択操作が行われると、表示制御部１８により、選択操作が行われた情報に対応した情報Ｎがポップアップ表示される。図９に示す情報Ｎは、図７の情報Ｑ３に対応した情報、すなわち図７の第３の画面において情報Ｑ３を視聴者がクリック操作した場合にタッチパネルに表示される情報であり、属性詳細と、１０代の意見と、２０代の意見と、を含んでいる。
【００７４】
属性詳細は、表示領域ＹＹにサムネイル画像の表示されている番組について、ツイッターでつぶやいている人の年代ごとの割合を示す情報を含んでいる。
【００７５】
１０代の意見は、表示領域ＹＹにサムネイル画像の表示されている番組について、好意的なコメントをつぶやいている１０代の人の数と、非好意的なコメントをつぶやいている１０代の人の数と、１０代の人の代表的なコメントと、の情報を含んでいる。
【００７６】
２０代の意見は、表示領域ＹＹにサムネイル画像の表示されている番組について、好意的なコメントをつぶやいている２０代の人の数と、非好意的なコメントをつぶやいている２０代の人の数と、２０代の人の代表的なコメントと、の情報を含んでいる。
【００７７】
なお、図２を参照して上述したように、図８に示した第３の詳細画面と、図９に示した第４の詳細画面と、の間でタッチパネルに表示させる画面を遷移させることもできる。すなわち、図８に示した第３の詳細画面をタッチパネルに表示させている状態において、第２の選択操作を入力受付部１５が認識すると、表示制御部１８は、タッチパネルに表示させる画面を、図９に示した第４の詳細画面に遷移させる。また、図９に示した第４の詳細画面をタッチパネルに表示させている状態において、第１の選択操作を入力受付部１５が認識すると、表示制御部１８は、タッチパネルに表示させる画面を、図８に示した第３の詳細画面に遷移させる。
【００７８】
図１０は、第４の画面を示す図である。第４の画面では、図３の基本画面と比べて、情報Ｒ１からＲ４が新たに表示されている。情報Ｒ１〜Ｒ４のそれぞれは、キーワード抽出部１７で受信されたキーワードのことであり、ＥＰＧのテキストデータから各番組の抽出されたキーワードのことである。例えば、サムネイル画像Ｐ１の番組のキーワードは、「クイズ」、「ソーシャルネットワーク」、および「芸能人」の３つである。
【００７９】
この図１０に示す第４の画面においても、図３の基本画面と同様に、表示制御部１８は、表示領域ＹＹに表示されているサムネイル画像について、視聴者が上述の第１の選択操作を行っているものと認識する。そして、例えば０．５秒間に亘って同一のサムネイル画像が選択されていると認識すると、タッチパネルに表示させる画面を、図１１に示す画面に遷移させる。
【００８０】
図１１は、第５の詳細画面を示す図である。第５の詳細画面では、図１０の第４の画面と比べて、情報Ｍが新たに表示されている。すなわち、第５の画面において同一のサムネイル画像が０．５秒間に亘って選択されると、表示制御部１８により、情報Ｍがホップアップ表示される。この情報Ｍは、図４において説明したものと同様の情報である。
【００８１】
図１０に戻って、表示しているキーワードのいずれかを視聴者がクリック操作すると、入力受付部１５は、このクリック操作を受付け、上述の第２の選択操作が行われたものと認識する。そして、表示制御部１８は、タッチパネルに表示させる画面を、図１２に示す画面に遷移させる。
【００８２】
図１２は、第６の詳細画面を示す図である。第６の詳細画面では、図１０の第４の画面と比べて、情報Ｒ１〜Ｒ４が表示されていないとともに、表示領域ＺＺが新たに設定され、さらに表示領域ＹＹに表示されるサムネイル画像がサムネイル画像Ｐ２からサムネイル画像Ｐ３に置き換えられている。
【００８３】
表示領域ＺＺには、図１０に示すキーワードのいずれかに対して第２の選択操作が行われると、表示制御部１８により、第２の選択操作が行われたキーワードに関連する番組のサムネイル画像が表示される。具体的には、図１０のサムネイル画像Ｐ３の番組のキーワード「ポップス」に対して、視聴者が第２の選択操作を行ったものとする。このため、表示領域ＹＹの図１２中左側には、「ポップス」をキーワードとする番組のうちすでに放送されたもののサムネイル画像が図１２中横方向に一列に並んで表示されている。また、表示領域ＹＹの図１２中右側には、「ポップス」をキーワードとする番組のうちこれから放送されるもののサムネイル画像が図１２中横方向に一列に並んで表示されている。
【００８４】
表示領域ＹＹには、図１０に示すキーワードのうち第２の選択操作が行われたものに対する番組のサムネイル画像が表示される。具体的には、上述のように、図１０のサムネイル画像Ｐ３の番組のキーワード「ポップス」に対して、視聴者が第２の選択操作を行ったものとする。このため、表示領域ＹＹには、キーワードとして「ポップス」が抽出された番組のサムネイル画像Ｐ３が表示されている。
【００８５】
以上の情報管理装置１によれば、以下の効果を奏することができる。
【００８６】
情報管理装置１は、ＥＰＧに記述されている各番組について、サムネイル画像を表示することができる。このため、番組の情報が文字で表示される場合と比べて、番組の情報を瞬時に認識するのが視聴者にとって容易となる。したがって、視聴者が番組の情報を容易に認識できるようにすることができる。
【００８７】
また、情報管理装置１は、表示領域ＹＹに表示されているサムネイル画像を選択して、選択したサムネイル画像の番組の情報をＥＰＧから読み出して表示することができる。このため、番組のサムネイル画像を表示して、視聴者が番組の情報を容易に認識できることを確保しつつ、より詳しい番組の情報をＥＰＧの情報から読み出して表示して、さらに詳しい番組の情報を視聴者が認識できるようにすることができる。
【００８８】
また、情報管理装置１では、視聴者は、スクロールバーＡが表示されている領域でスライド操作をする方が、表示領域ＸＸでフリック操作をする場合と比べて、表示領域ＸＸに表示されるサムネイル画像を大きく移動させることができる。このため、番組数が多い場合に、短い時間で多くのサムネイル画像を表示領域ＸＸに表示させることができる。したがって、視聴者が番組の情報をさらに容易に認識できるようにすることができる。
【００８９】
また、情報管理装置１は、番組についてツイッターでつぶやかれている情報を表示することができる。このため、視聴者は、番組に対する他者の意見を参照することができるので、視聴者が番組の情報をより一層容易に認識できるようにすることができる。
【００９０】
また、情報管理装置１は、番組のキーワードを３つずつ表示することができる。このため、キーワードを参照することで、視聴者が番組の情報をより容易に認識できるようにすることができるとともに、関連する番組を視聴者が探し出しやすくなるようにすることもできる。
【００９１】
なお、本発明の情報管理装置１の処理を、コンピュータ読み取り可能な記録媒体に記憶し、記録媒体に記録されたプログラムを情報管理装置１に読み込ませ、実行させることによって、本発明を実現できる。
【００９２】
また、上述のプログラムは、このプログラムを記憶装置などに格納した情報管理装置１から、伝送媒体を介して、あるいは、伝送媒体中の伝送波により他のコンピュータシステムに伝送されてもよい。ここで、プログラムを伝送する「伝送媒体」は、インターネットなどのネットワーク（通信網）や電話回線などの通信回線（通信線）のように情報を伝送する機能を有する媒体のことをいう。
【００９３】
また、上述のプログラムは、上述の機能の一部を実現するためのものであってもよい。さらに、上述の機能を情報管理装置１にすでに記録されているプログラムとの組み合せで実現できるもの、いわゆる差分ファイル（差分プログラム）であってもよい。
【００９４】
以上、この発明の実施形態につき、図面を参照して詳述してきたが、具体的な構成はこの実施形態に限られるものではなく、この発明の要旨を逸脱しない範囲の設計なども含まれる。
【００９５】
例えば、上述の実施形態では、情報管理装置１にタッチパネルが設けられており、このタッチパネルに番組が表示されるものとしたが、これに限らない。例えば、情報管理装置１と通信可能に設けられた表示装置に、番組が表示されるものとしてもよい。
【００９６】
また、上述の実施形態では、各番組のキーワードは、情報管理装置１とは別個に設けられた配信管理サーバで抽出されるものとしたが、これに限らず、情報管理装置１で抽出してもよい。
【００９７】
また、上述の実施形態では、図５の表示領域ＺＺにサムネイル画像の表示される番組は、表示領域ＹＹにサムネイル画像の表示されている番組を放送中であるチャンネルにおいて、すでに放送された番組と、これから放送される番組と、であるとしたが、これに限らない。例えば、表示領域ＹＹに表示されているサムネイル画像から推定したお勧め番組や、表示領域ＹＹにサムネイル画像の表示されている番組に関連する番組を表示してもよい。
【００９８】
また、上述の実施形態において、図４の情報Ｍに購入ボタンを含めてもよい。この場合、購入ボタンを視聴者がクリック操作を行うと、入力受付部１５は、このクリック操作を受付け、図示しない制御部は、表示領域ＹＹにサムネイル画像の表示されている番組に関連するコンテンツを視聴者に販売するための手続きを行うこととする。
【００９９】
また、上述の実施形態において、表示領域ＸＸに表示するサムネイル画像の中に、録画ボタンＣ４のクリック操作により記憶部１９に記憶されている番組のサムネイル画像や、上述の購入ボタンの操作により購入されたコンテンツのサムネイル画像を含めてもよい。この場合、これらの含めるサムネイル画像は、図示しない制御部において生成されるものとする。
【符号の説明】
【０１００】
１・・・情報管理装置
１１・・・番組受信部
１２・・・ＥＰＧ受信部
１３・・・サムネイル画像受信部
１４・・・意見受信部
１５・・・入力受付部
１６・・・サムネイル画像選択部
１７・・・キーワード抽出部
１８・・・表示制御部
１９・・・記憶部
【図１】
2012209824.tif 000003
【図２】
2012209824.tif 000004
【図３】
2012209824.tif 000005
【図４】
2012209824.tif 000006
【図５】
2012209824.tif 000007
【図６】
2012209824.tif 000008
【図７】
2012209824.tif 000009
【図８】
2012209824.tif 000010
【図９】
2012209824.tif 000011
【図１０】
2012209824.tif 000012
【図１１】
2012209824.tif 000013
【図１２】
2012209824.tif 000014